(57)【要約】【課題】複数の対物レンズを保持するレンズ保持部において、一方の対物レンズを使用してレーザー光の照射をしているときに、レンズ保持部と光ディスクの接触可能性を低減することが可能な光ピックアップ装置及び光ディスク装置を提供すること。【解決手段】第１の対物レンズ１６０を保持し、光ディスクと対向する第１の対向面と、第１の対物レンズと異なる第２の対物レンズ１６１を保持し、第１の対向面との境界線１２１Ａで突出するように第１の対向面に対して傾斜して形成された、光ディスクと対向する第２の対向面とを有するレンズ保持部１２１と、レンズ保持部を駆動する駆動力を受ける駆動受け部１２２とを備え、第１の対物レンズと第２の対物レンズを結ぶ方向は、光ディスクのラジアル方向に対して略平行であることを特徴とする。【選択図】図２
2010020836.tif 000002
【特許請求の範囲】
【請求項１】
第１の対物レンズを保持し、光ディスクと対向する第１の対向面と、
前記第１の対物レンズと異なる第２の対物レンズを保持し、前記第１の対向面との境界線で突出するように前記第１の対向面に対して傾斜して形成された、前記光ディスクと対向する第２の対向面と、
を有するレンズ保持部と、
前記レンズ保持部を駆動する駆動力を受ける駆動受け部と、
を備え、
前記第１の対物レンズと前記第２の対物レンズを結ぶ方向は、前記光ディスクのラジアル方向に対して略平行である、光ピックアップ装置。
【請求項２】
前記第１の対向面から前記光ディスク側に前記第１の対物レンズより突出した第１のレンズ保護部材と、
前記第２の対向面から前記光ディスク側に前記第２の対物レンズより突出した第２のレンズ保護部材と、
を備える、請求項１に記載の光ピックアップ装置。
【請求項３】
前記第２の対向面は、前記第１の対向面が前記光ディスクの記録面に対して平行状態にあるとき、前記光ディスクから離隔する方向に前記第１の対向面に対して傾斜して形成され、
前記第１の対向面は、前記第２の対向面が前記光ディスクの記録面に対して平行状態にあるとき、前記光ディスクから離隔する方向に前記第２の対向面に対して傾斜して形成される、請求項１又は２に記載の光ピックアップ装置。
【請求項４】
前記駆動受け部は、前記レンズ保持部の一側にのみ設けられた、請求項１〜３のいずれかに記載の光ピックアップ装置。
【請求項５】
前記駆動受け部は、前記レンズ保持部の両側に１つずつ設けられた、請求項１〜３のいずれかに記載の光ピックアップ装置。
【請求項６】
第１の対物レンズを保持し、光ディスクと対向する第１の対向面と、
前記第１の対物レンズと異なる第２の対物レンズを保持し、前記第１の対向面との境界線で突出するように前記第１の対向面に対して傾斜して形成された、前記光ディスクと対向する第２の対向面と、
を有するレンズ保持部と、
前記レンズ保持部を駆動する駆動力を受ける駆動受け部と、
を備え、
前記第１の対物レンズと前記第２の対物レンズを結ぶ方向は、前記光ディスクのラジアル方向に対して略平行である、光ディスク装置。
【発明の詳細な説明】
【技術分野】
【０００１】
本発明は、光ピックアップ装置及び光ディスク装置に関する。
【背景技術】
【０００２】
光ディスク（ドライブ）装置は、ＣＤ、ＤＶＤ、ブルーレイディスクなどの光ディスク等のデータ記録面にデータを書き込んだり、データ記録面に記録されたデータを読み取ったりする。光ディスク装置には、光ディスクにレーザー光を照射し、光ディスクからの反射光を受光する光ピックアップ装置が設けられる。
【０００３】
光ピックアップ装置は、高速回転する光ディスクに対物レンズ６０，６１を追従させる、図７に示すようなアクチュエータを有する。図７は、従来の光ピックアップ装置のアクチュエータを示す斜視図である。アクチュエータには、例えば、対物レンズ６０，６１をフォーカス方向とトラッキング方向との２軸方向に駆動可能な２軸アクチュエータや、上記２軸方向に加えて対物レンズをチルト方向に駆動可能な３軸アクチュエータなどがある。そして、アクチュエータは、対物レンズ６０，６１を保持するレンズホルダ２０、レンズホルダ２０を駆動するためのマグネット３２や電磁コイル２６（図８参照）、サスペンション４２、固定部材４０等からなる。サスペンション４２は、固定部４０の支持部４４で固定され、レンズホルダ２０の支持部２７でレンズホルダを支持している。
【０００４】
例えば、特許文献１には、光ピックアップ装置の一例が開示されている。特許文献１に開示されているように、光ピックアップ装置には、ＣＤ、ＤＶＤ、ブルーレイディスクなどの複数の種類の光ディスクに対応するため、複数の対物レンズをレンズホルダに設置する場合がある。光ディスクの種類に応じたレーザー光を照射する際、それぞれのレーザー光に対応した対物レンズが選択されて、光ディスクにデータを書き込んだり、光ディスクからデータを読み取ったりする。
【０００５】
【特許文献１】特開２００４−１３４０５６号公報
【発明の開示】
【発明が解決しようとする課題】
【０００６】
ところで、光ディスクと対物レンズとの間の作動距離（working  distance）は、対物レンズ６０，６１毎に異なる。そのため、図８に示すように、レンズホルダ２０上で対物レンズ６０，６１を光ディスク１０のラジアル方向に対して平行方向に配置する場合、高さを変えた水平面内にそれぞれの対物レンズ６０，６１を配置する。図８は、光ディスク１０と従来の光ピックアップ装置のレンズホルダ２０の位置関係を示す模式図である。
【０００７】
また、光ピックアップのレンズホルダ２０上には対物レンズ６０，６１より突出したプロテクタ３０Ａ，３０Ｂが設けられる。プロテクタ３０Ａ，３０Ｂは、緩衝部材であり、光ディスク１０を対物レンズ６０，６１との接触から保護する。光ディスク１０とプロテクタ３０Ａ，３０Ｂとの接触によって、光ディスク１０に傷が付くことはないが、接触による衝撃でサーボ制御が外れるおそれがあるため、接触が発生しないように対物レンズ６０，６１、プロテクタ３０Ａ，３０Ｂを配置する必要がある。
【０００８】
ところで、プロテクタ３０Ａ，３０Ｂは、レンズホルダ２０の駆動方向や駆動位置に関わらず、対物レンズ６０，６１と光ディスク１０との接触を防止する必要がある。例えば、図９に示すように、複数の対物レンズ６０，６１のうち一方の対物レンズを使用して、光ディスク１０の再生記録をする場合、他方の対物レンズが光ディスクに接触しないようにプロテクタの高さを決定しなければならない。そのためには、再生記録に使用している対物レンズの作動距離内に、他方の対物レンズに対応したプロテクタが収まる必要がある。図９は、従来の光ピックアップ装置のレンズホルダを示す概略的な側面図である。
【０００９】
例えば、内周側の対物レンズ６１がブルーレイディスク用の対物レンズであり、外周側の対物レンズ６０がＣＤ及びＤＶＤ用の対物レンズである例について説明する。内周側の対物レンズ６１の作動距離は、レーザー光の焦点が光ディスク１０の記録面に合っているとき、約０．３ｍｍである。
【００１０】
内周側の対物レンズ６１が信号読み取り中で、レンズホルダ２０がチルト制御によって傾斜しているとき、図８及び図９に示すように、外周側の対物レンズ６０に対応したプロテクタ３０Ａが光ディスク１０に最も近接する。そのため、プロテクタ３０Ａが光ディスク１０と接触しないように、レンズ取り付け誤差や光ピックアップ装置のスキュー制御を考慮しながら、対物レンズ６０，６１を配置する必要がある。しかし、内周側の対物レンズ６１と外周側のプロテクタ３０Ａの距離が遠くなるほど、接触可能性が高まるという問題があった。
【００１１】
上述したとおり、作動距離が短い対物レンズを使用するとき、プロテクタの高さ制限が厳しくなるという問題があった。また、レンズホルダにおける光ディスクのラジアン方向に平行な方向の長さも制約されるため、光ピックアップ装置の薄型型化の阻害要因となった。
【００１２】
そこで、本発明は、上記問題に鑑みてなされたものであり、本発明の目的とするところは、複数の対物レンズを保持するレンズ保持部において、一方の対物レンズを使用してレーザー光の照射をしているときに、レンズ保持部と光ディスクの接触可能性を低減することが可能な、新規かつ改良された光ピックアップ装置及び光ディスク装置を提供すること。
【課題を解決するための手段】
【００１３】
上記課題を解決するために、本発明のある観点によれば、第１の対物レンズを保持し、光ディスクと対向する第１の対向面と、第１の対物レンズと異なる第２の対物レンズを保持し、第１の対向面との境界線で突出するように第１の対向面に対して傾斜して形成された、光ディスクと対向する第２の対向面とを有するレンズ保持部と、レンズ保持部を駆動する駆動力を受ける駆動受け部とを備え、第１の対物レンズと第２の対物レンズを結ぶ方向は、光ディスクのラジアル方向に対して略平行である、光ピックアップ装置が提供される。
【００１４】
上記第１の対向面から光ディスク側に第１の対物レンズより突出した第１のレンズ保護部材と、第２の対向面から光ディスク側に第２の対物レンズより突出した第２のレンズ保護部材とを備えてもよい。
【００１５】
上記第２の対向面は、第１の対向面が光ディスクの記録面に対して平行状態にあるとき、光ディスクから離隔する方向に第１の対向面に対して傾斜して形成され、第１の対向面は、第２の対向面が光ディスクの記録面に対して平行状態にあるとき、光ディスクから離隔する方向に第２の対向面に対して傾斜して形成されてもよい。
【００１６】
上記駆動受け部は、レンズ保持部の一側にのみ設けられてもよい。
上記駆動受け部は、レンズ保持部の両側に１つずつ設けられてもよい。
【００１７】
また、上記課題を解決するために、本発明の別の観点によれば、第１の対物レンズを保持し、光ディスクと対向する第１の対向面と、第１の対物レンズと異なる第２の対物レンズを保持し、第１の対向面との境界線で突出するように第１の対向面に対して傾斜して形成された、光ディスクと対向する第２の対向面とを有するレンズ保持部と、レンズ保持部を駆動する駆動力を受ける駆動受け部とを備え、第１の対物レンズと第２の対物レンズを結ぶ方向は、光ディスクのラジアル方向に対して略平行である光ディスク装置が提供される。
【発明の効果】
【００１８】
本発明によれば、複数の対物レンズを保持するレンズ保持部において、一方の対物レンズを使用してレーザー光の照射をしているときに、レンズ保持部と光ディスクの接触可能性を低減することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（第１の実施形態）
まず、図１を参照して、本発明の第１の実施形態に係る光ディスク装置１００について説明する。図１は、本実施形態に係る光ディスク装置１００の構成を示すブロック図である。
【００２１】
光ディスク装置１００は、図１に示すように、光ピックアップ１０２と、光ディスク（光ディスク記録媒体）１０を回転駆動するスピンドルモータ１０４と、送りモータ１０６と、駆動制御部１０８と、信号処理部１１０と、信号変復調部１１２と、システムコントローラ１１４と、操作部１１６などからなる。
【００２２】
光ピックアップ１０２は、光ピックアップ装置の一例であり、駆動制御部１０８から駆動信号を受けて、光ディスク１０にレーザー光を照射したり、光ディスク１０で反射した光を受光したりする。
【００２３】
スピンドルモータ１０４は、駆動制御部１０８から駆動信号を受ける。スピンドルモータ１０４は、光ディスク１０を載置するディスクテーブル（図示せず。）を所定の速度で回転駆動する。
送りモータ１０６は、駆動制御部１０８から駆動信号を受ける。送りモータ１０６は、送り機構を介して光ピックアップ１０２を光ディスク１０の半径方向（ラジアル方向）に移動する。光ピックアップ１０２は、所定の位置に移動されることによって所定データの記録再生が可能となる。
【００２４】
駆動制御部１０８は、システムコントローラ１１４からトラッキングエラー信号やフォーカスエラー信号を受け、光ピックアップ１０２の２軸アクチュエータの駆動に関する駆動信号を生成する。駆動制御部１０８は、生成した駆動信号を光ピックアップ１０２に送る。
また、駆動制御部１０８は、システムコントローラ１１４から制御信号を受け、光ピックアップ１０２のレーザーダイオード１５０，１５１、スピンドルモータ１０４、送りモータ１０６の駆動に関する駆動信号を生成する。駆動制御部１０８は、生成した駆動信号をレーザーダイオード１５０，１５１、スピンドルモータ１０４、送りモータ１０６に送る。
【００２５】
信号処理部１１０は、光ピックアップ１０２から、レーザー光の反射光に基づいた出力信号を受ける。信号処理部１１０は、受けた信号をアナログ信号からデジタル信号に変換したり、増幅したりするなどの信号処理を行う。信号処理部１１０は、信号処理して生成した信号を信号変復調部１１２や駆動制御部１０８に送る。
【００２６】
信号変復調部１１２は、データ再生時、信号処理部１１０から信号を受けて、信号の復調処理を行う。また、信号変復調部１１２は、データ記録時、外部から受けた信号に基づいて、信号の変調処理を行い、処理済の信号を信号処理部１１０に送る。
【００２７】
システムコントローラ１１４は、操作部１１６との信号の入出力が行われる。また、システムコントローラ１１４には、信号変復調部１１２から出力された出力信号が入力される。システムコントローラ１１４は、信号変復調部１１２から出力された出力信号に基づいて、トラッキングエラー信号やフォーカスエラー信号を生成する。システムコントローラ１１４は、生成したトラッキングエラー信号やフォーカスエラー信号を駆動制御部１０８に送る。
また、システムコントローラ１１４は、信号変復調部１１２から出力された出力信号に基づいて、レーザーダイオード１５０，１５１、スピンドルモータ１０４、送りモータ１０６を制御する制御信号を生成する。システムコントローラ１１４は、生成した制御信号を駆動制御部１０８に送る。
【００２８】
以下、上記の構成を有する光ディスク装置１００の動作について説明する。データ記録時においては、図示しない外部のコンピュータからインターフェースを介して入力されたデジタルデータが、信号変復調部１１２でエラー訂正符号（ＥＣＣ）が付加されて変調される。変調されたデジタルデータに基づき、レーザー光を制御する駆動制御部１０８によりパルスが生成され、光ピックアップ１０２を介して光ディスク１０にレーザー光が照射されることで、デジタルデータが記録される。また、駆動制御部１０８によって、適宜サーボ制御がなされる。
【００２９】
一方、データ再生時においては、レーザー光が光ディスク１０に照射されると、その戻り反射光が光ピックアップ１０２のフォトダイオード１５４によって検出される。フォトダイオード１５４によって検出された反射光は、信号処理部１１０において増幅、波形等化等が計算されて、再生信号が再生され、再生信号が２値化されたビット列が生成される。生成されたビット列は、信号変復調部１１２により信号復調及びエラー訂正が行われる。復調された信号は、システムコントローラ１１４における映像音声処理よって映像データ及び音声データに分離され、Ｄ／Ａ変換がなされてアナログ出力される。データ再生の際も、駆動制御部１０８によって、適宜サーボ制御がなされる。
【００３０】
次に、図２及び図３を参照して、本実施形態に係る光ピックアップ１０２の構成について説明する。図２は、本実施形態に係る光ピックアップ１０２のレンズホルダ１２０及びサスペンション固定部材１４０を示す斜視図である。図３は、本実施形態に係る光ピックアップ１０２を示す平面図である。
【００３１】
光ピックアップ１０２は、図３に示すように、例えば、レンズホルダ１２０、マグネットやコイルなどからなる２軸アクチュエータと、光学部品（例えば、レーザーダイオード１５０，１５１と、プリズム１５２と、復路光学素子１５３と、フォトダイオード１５４と、コリメータレンズ１５５と、対物レンズ１６０，１６１の下部に配置された反射ミラー（図示せず。）と、対物レンズ１６０，１６１などを有する）等からなる。
【００３２】
レンズホルダ１２０、マグネットやコイルなどからなる２軸アクチュエータは、高速回転する光ディスク１０に対物レンズ１６０，１６１を追従させる駆動装置である。レンズホルダ１２０は、マグネットやコイルによってトラッキング制御やフォーカス制御されて駆動される。２軸アクチュエータは、駆動制御部１０８から駆動信号を受ける。２軸アクチュエータは、対物レンズ１６０，１６１をフォーカス方向とトラッキング方向との２軸方向に駆動可能である。２軸アクチュエータは、光ディスク１０のデータ記録面におけるレーザー光のフォーカスを調節する。なお、対物レンズ１６０，１６１の駆動は２軸アクチュエータに限定されず。３軸アクチュエータであってもよい。このとき、３軸アクチュエータは、対物レンズをフォーカス制御、トラッキング制御するだけでなく、チルト制御もする。
【００３３】
光ピックアップ１０２は、１つの２軸アクチュエータに対して２系統の光学部品が並列されて構成される。これにより、例えば波長の異なるレーザー光を照射することができ、ＣＤ，ＤＶＤとブルーレイディスクといった複数の規格について、１台の光ディスク装置１００で記録再生することができる。なお、図３では、２系統の光学部品の配置構成は、対称であるように示したが、本発明はかかる例に限定されない。光ピックアップ１０２が、光ディスク１０からのデータの読み取りや光ディスク１０のデータの書き込みを２系統で行うことができれば、他の配置構成であってもよい。
【００３４】
レーザーダイオード１５０，１５１は、駆動制御部１０８から駆動信号を受けて、レーザー光を光ディスク１０に発光する。レーザーダイオード１５０，１５１は、プリズム１５２、コリメータレンズ１５５を介して、対物レンズ１６０，１６１の下部に配置された反射ミラーの方向へレーザー光を照射する。レーザーダイオード１５０，１５１から照射されたレーザー光は、対物レンズ１６０，１６１を介して光ディスク１０に集光される。レーザーダイオード１５１は、例えばレーザーダイオード１５０より波長が短いレーザー光を照射する。例えば、レーザーダイオード１５０は、ＣＤ，ＤＶＤ等の光ディスクに対応したレーザー光を照射し、レーザーダイオード１５１は、ブルーレイディスク等の高密度記録光ディスクに対応したレーザー光を照射する。
【００３５】
プリズム１５２は、レーザーダイオード１５０，１５１から照射されたレーザー光を透過させて、コリメータレンズ１５５にレーザー光を導く。また、プリズム１５２は、光ディスク１０で反射した反射光を例えば約９０°反射させて、復路光学素子１５３に反射光を導く。
復路光学素子１５３は、例えば集光レンズであり、フォトダイオード１５４に反射光を集光する。
フォトダイオード１５４は、光ディスク１０で反射したレーザー光の反射光を受光する。フォトダイオード１５４は、受光したレーザー光を電気信号に変換して、信号を信号処理部１１０に出力する。
【００３６】
コリメータレンズ１５５は、レーザーダイオード１５０，１５１からのレーザー光を発散光から平行光に変える。
反射ミラーは、反射部材の一例であり、レーザーダイオード１５０又はレーザーダイオード１５１側に傾斜した反射面が形成されている。レーザーダイオード１５０，１５１から発光されたレーザー光の大部分は９０°反射されて、光ディスク１０の方向へ導かれる。反射ミラーは、対物レンズ１６０，１６１の下部に配置される。
【００３７】
対物レンズ１６０，１６１は、レーザーダイオード１５０，１５１から照射されたレーザー光を光ディスク１０に集光する。対物レンズ１６０，１６１は、光ディスク１０上にレーザー光を光スポットとして集光可能である。対物レンズ１６０は、レーザーダイオード１５０から照射されるレーザー光に対応した集光レンズであり、対物レンズ１６１は、レーザーダイオード１５１から照射されるレーザー光に対応した集光レンズである。例えば、レーザーダイオード１５１がレーザーダイオード１５０より波長が短いレーザー光を照射する場合、対物レンズ１６１の直径は対物レンズ１６０より短い。
【００３８】
対物レンズ１６０，１６１は、レンズホルダ１２０の一端側のレンズ保持部１２１に設けられ、レンズホルダ１２０の他端側の駆動受け部１２２に駆動コイル１２３が設けられる。対物レンズ１６０，１６１は、レンズ保持部１２１と駆動受け部１２２とを結ぶ方向に対して略垂直方向にレンズ保持部１２１に配置される。また、対物レンズ１６０，１６１は、光ディスクのラジアル方向に対して略平行方向となるように設けられる。
【００３９】
なお、光ピックアップ１０２の光学部品は、上述した各光学部品に限定されず、他の構成部品を含んでもよい。また、光学部品は、レーザー光の光ディスク１０への照射、光ディスク１０からの反射光の受光が可能であれば他の構成であってもよい。
【００４０】
次に、２軸アクチュエータについて説明する。２軸アクチュエータは、図２及び図３に示すように、例えば対物レンズ１６０，１６１や駆動コイル１２３を保持するレンズホルダ１２０と、マグネット（図示せず。）と、レンズホルダ１２０を吊持するサスペンション１４２と、サスペンション１４２を固定支持するサスペンション固定部材１４０などからなる。
【００４１】
レンズホルダ１２０は、一端側の上面で対物レンズ１６０，１６１を保持する。レンズホルダ１２０には、２つの貫通孔（図示せず。）が設けられ、２つの貫通孔の上にそれぞれ対物レンズ１６０，１６１が設けられる。これにより、レーザーダイオード１５０，１５１から照射されたレーザー光は、貫通孔を経て対物レンズ１６０，１６１を通過し、光ディスク１０に照射される。
【００４２】
レンズホルダ１２０は、対物レンズ１６０，１６１の反対の他端側の駆動受け部１２２に、マグネットが貫通する貫通孔が設けられる。貫通孔の内面には、駆動コイル１２３が設置される。レンズホルダ１２０は、連結部１２７を介して、サスペンション１４２によって吊持される。連結部１２７は、レンズホルダ１２０の側面に設けられる。本実施形態のレンズホルダ１２０は、２つのマグネットを結ぶ方向が光ディスク１０のラジアル方向に対して略垂直方向となるように設けられる。
【００４３】
サスペンション１４２は、例えばワイヤであり、弾性部材である。サスペンション１４２は一端が連結部１２７と接続され、他端がサスペンション固定部材１４０と接続される。サスペンション１４２は、連結部１２７を介してレンズホルダ１２０を弾性的に吊持する。サスペンション１４２は、レンズホルダ１２０を挟んで対に設けられ、例えば図２に示すように、一側において上下方向に２つずつ設けられる。サスペンション１４２は、弾性部材としての弾性性能を発揮する。サスペンション１４２は、サスペンション固定部材１４０側を固定端、レンズホルダ１２０側を自由端として撓む。
【００４４】
サスペンション固定部材１４０は、マグネットを挟んで対物レンズ１６０，１６１と反対側に配置される。サスペンション固定部材１４０の両端には、サスペンション１４２が接続される。サスペンション固定部材１４０は、例えば光ピックアップ１０２のベースプレートなどと連結、固定されて、安定的にサスペンション１４２を支持する。
【００４５】
次に、２軸アクチュエータのマグネット及びレンズホルダ１２０について詳しく説明する。
レンズホルダ１２０は、２つの対物レンズ１６０，１６１を保持するレンズ保持部１２１と、２つの貫通孔が設けられた駆動受け部１２２の２つの領域からなる。
【００４６】
まず、マグネットと駆動コイル１２３，１２６について説明する。マグネットと駆動コイル１２３，１２６は、互いに対向して設けられ、レンズホルダ１２０をフォーカス方向又はトラッキング方向に駆動する。２つのマグネットは、２つのマグネットを結ぶ方向が光ディスク１０のラジアル方向に対して略垂直方向となるように設けられる。
【００４７】
マグネットは、例えば２つ設けられる。２つのマグネットは、それぞれレンズホルダ１２０の貫通孔に挿入される。マグネットは、例えば光ピックアップ１０２のベースプレートなどと連結、固定される。
マグネットは、マグネットと駆動コイルが対向する２軸アクチュエータに通常適用される構成を有しており、それぞれのマグネットの着磁、磁力線方向などの詳しい説明は省略する。
【００４８】
駆動受け部１２２には、２つの貫通孔が形成される。２つの貫通孔は駆動受け部１２２とレンズ保持部１２１を結ぶ方向に並列して形成される。貫通孔は、対物レンズ１６０，１６１を通過するレーザー光の光軸方向に貫通している。駆動受け部１２２は、駆動コイル１２３，１２６が設けられており、駆動コイル１２３，１２６の駆動とマグネットの作用によって生じる、レンズホルダ１２０を駆動する駆動力を受ける。
【００４９】
駆動コイル１２３は、フォーカシング駆動コイルであり、駆動コイル１２３が駆動すると対物レンズ１６０，１６１のフォーカシング方向（対物レンズ１６０，１６１を通過するレーザー光の光軸方向）の制御がされる。駆動コイル１２３は、レンズホルダ１２０に形成された貫通孔の内面に配置される。駆動コイル１２３は、貫通孔の４つの内面に沿って巻回されており、駆動コイル１２３の中心に２つのマグネットのうち１つのマグネットが挿入される。
【００５０】
駆動コイル１２６は、トラッキング駆動コイルであり、駆動コイル１２６が駆動すると対物レンズ１６０，１６１はトラッキング方向（光ディスク１０のラジアル方向）の制御がされる。駆動コイル１２６は、レンズホルダ１２０に形成された貫通孔の内面のうち１面にトラッキング方向に１つずつ配置される。駆動コイル１２６は、２軸アクチュエータに通常適用される構成を有している。駆動コイル１２３，１２６の各コイルは、銅線などの金属線を巻回して形成される。
【００５１】
本実施形態に係る２軸アクチュエータの動作は次のとおりである。すなわち、２軸アクチュエータは、駆動コイル１２３にフォーカス駆動信号が入力されることで、レンズホルダ１２０をフォーカス制御方向（フォーカシング方向、即ち、対物レンズ１６０，１６１におけるレーザー光の進行方向）に駆動する。また、２軸アクチュエータは、駆動コイル１２６にトラッキング駆動信号が入力されることで、レンズホルダ１２０をトラッキング方向に駆動する。
【００５２】
次に、レンズホルダ１２０のレンズ保持部１２１について詳しく説明する。
レンズホルダ１２０には、駆動受け部１２２の一端側、例えば貫通孔に隣接してレンズ保持部１２１が設けられる。レンズ保持部１２１は、対物レンズ１６０，１６１を保持する。レンズ保持部１２１には、対物レンズ１６０，１６１が、光ディスク１０のラジアル方向に並列される。
【００５３】
レンズ保持部１２１は、対物レンズ１６０を保持し、光ディスク１０と対向する第１の対向面と、対物レンズ１６１を保持し、光ディスク１０と対向する第２の対向面を有する。第１の対向面と第２の対向面は、第１の対向面と第２の対向面との境界線１２１Ａで突出するように互いに傾斜して構成される。すなわち、第２の対向面は、第１の対向面が光ディスクの記録面に対して平行状態にあるとき、光ディスク１０から離隔する方向に第１の対向面に対して傾斜して形成される。また、第１の対向面は、第２の対向面が前記光ディスクの記録面に対して平行状態にあるとき、光ディスク１０から離隔する方向に第２の対向面に対して傾斜して形成される。
【００５４】
また、第１の対向面には、プロテクタ１３０Ａ（第１のレンズ保護部材）が設けられ、第２の対向面には、プロテクタ１３０Ｂ（第２のレンズ保護部材）が設けられる。プロテクタ１３０Ａは、第１の対向面から光ディスク１０側に対物レンズ１６０より突出しており、プロテクタ１３０Ｂは、第２の対向面から光ディスク１０側に対物レンズ１６１より突出している。
【００５５】
このようにレンズ保持部１２１が形成されることで、対物レンズ１６０，１６１及びプロテクタ１３０Ａ，１３０Ｂは、光ディスク１０のラジアル方向と平行方向に対して傾斜して配置される。
【００５６】
対物レンズ１６１にレーザー光を透過させるとき、図６（Ａ）に示すように、通常時は、対物レンズ１６１が光ディスク１０に対して略平行になるように、レンズホルダ１２０は傾けて使用される。図６は、本実施形態に係る光ピックアップのレンズホルダを示す概略的な側面図である。そして、対物レンズ１６１にレーザー光を透過させるとき、図６（Ｂ）に示すように、レンズホルダ１２０をチルト制御すると、対物レンズ１６１は光ディスク１０のラジアル方向に傾斜する。このとき、レンズホルダ１２０が傾斜したとしても、対物レンズ１６１と反対側に位置する対物レンズ１６０側のプロテクタ１３０Ａは、プロテクタ１３０Ｂの最高部の水平面Ｐより突出することはない。
【００５７】
一方、従来のレンズホルダ２０では、図９（Ｂ）に示すように、レンズホルダ２０が傾斜すると、レーザー光が透過する対物レンズ側のプロテクタ３０Ｂの最高部の水平面Ｐより、プロテクタ３０Ａの最高部の水平面Ｑが高くなる。その結果、従来のレンズホルダ２０では、チルト制御時、レンズホルダ２０と光ディスク１０とが衝突する可能性が高かった。
【００５８】
従って、図９に示すような、従来のレンズホルダ２０のプロテクタ３０Ａに比べて、プロテクタ１３０Ａは、光ディスク１０との衝突可能性が低減する。そして、プロテクタ１３０Ａの高さを従来に比べて低く抑えることができるため、レンズホルダ１２０全体の高さが低くなり、その結果、光ピックアップ１０２の高さも低減することができる。
【００５９】
なお、上記では、レーザー光が対物レンズ１６１を透過する場合について説明したが、レーザー光が対物レンズ１６０を透過する場合も同様である。その結果、プロテクタ１３０Ｂについても、従来のプロテクタ３０Ｂに比べて高さを低減することができる。
【００６０】
（第２の実施形態）
次に、本発明の第２の実施形態に係る光ディスク装置２００について説明する。第２の実施形態は、第１の実施形態と２軸アクチュエータが異なるため、２軸アクチュエータについて説明する。図４は、本実施形態に係る２軸アクチュエータを示す側面図である。図５は、本実施形態に係る２軸アクチュエータを示す平面図である。
【００６１】
本実施形態に係る２軸アクチュエータは、レンズホルダ２２０と、駆動コイル２２５，２２６と、サスペンション固定部材２４０と、マグネット１３２，２３２と、サスペンション２４２などからなる。
【００６２】
レンズホルダ２２０は、レンズ保持部の一例であり、対物レンズ１６０，１６１を保持する。レンズホルダ２２０は、略直方体形状を有しており、上面には対物レンズ１６０，１６１が載置される。レンズホルダ２２０は、中央に上下方向に貫通した貫通孔（図示せず。）を有し、貫通孔の上部に対物レンズ１６０，１６１が設置される。これにより、レーザーダイオード１５０，１５１から照射されたレーザー光が貫通孔を通過して、対物レンズ１６０，１６１に入射する。
【００６３】
レンズホルダ２２０は、マグネット１３２とマグネット２３２の間に配置される。レンズホルダ２２０のマグネット１３２，２３２と対向する側面には、それぞれ駆動コイル２２５と駆動コイル２２６が設置される。マグネット１３２とマグネット２３２とを結ぶ方向は、光ディスクのトラック方向の接線方向である。
【００６４】
レンズホルダ２２０は、連結部２２７を介して、サスペンション２４２によって吊持される。
【００６５】
駆動コイル２２５，２２６は、駆動受け部の一例であり、レンズホルダ２２０のマグネット１３２，２３２と対向する側面に設置される。駆動コイル２２５，２２６は、２軸アクチュエータに通常適用される構成を有している。例えば、駆動コイル２２５は、１つのトラッキング駆動コイルであり、駆動コイル２２６は、光ディスクのラジアル方向に配置された１対のフォーカシング駆動コイルである。駆動コイル２２５，２２６の各コイルは、銅線などの金属線を巻回して形成される。
【００６６】
サスペンション固定部材２４０は、マグネット１３２とマグネット２３２とを結ぶ方向に、レンズホルダ２２０、マグネット１３２、マグネット２３２と並列して設けられる。サスペンション固定部材２４０の両端２４４には、サスペンション２４２が接続される。サスペンション固定部材２４０は、例えば光ピックアップ１０２のベースなどと連結、固定されて、安定的にサスペンション２４２を支持する。
【００６７】
マグネット１３２は、レンズホルダ２２０を挟んでマグネット２３２と反対側に設けられる。マグネット２３２は、レンズホルダ２２０とサスペンション固定部材２４０との間に設置される。マグネット１３２，２３２は、例えば略直方体形状を有している。
【００６８】
マグネット１３２，２３２は、例えば光ピックアップ１０２のベースなどに固定される。マグネット１３２，２３２は、２つのマグネットがレンズホルダを挟持する２軸アクチュエータに通常適用される構成を有しており、それぞれのマグネット１３２，２３２の着磁、磁力線方向などの詳しい説明は省略する。なお、２つのマグネット１３２，２３２がレンズホルダ２２０を挟んで構成される２軸アクチュエータ１２０は、レンズホルダ２２０のフォーカシング方向、トラッキング方向の移動を均等に行うことができる点で有利である。
【００６９】
サスペンション２４２は、例えばワイヤであり、弾性部材である。サスペンション２４２は一端が連結部２２７と接続され、他端がサスペンション固定部材２４０と接続される。サスペンション２４２は、連結部２２７を介してレンズホルダ２２０を弾性的に吊持する。サスペンション２４２は、レンズホルダ２２０を挟んで対に設けられる。サスペンション２４２は、弾性部材としての弾性性能を発揮する。サスペンション２４２は、サスペンション固定部材２４０側を固定端、レンズホルダ２２０側を自由端として撓む。
【００７０】
次に、レンズホルダ２２０について詳しく説明する。
レンズホルダ２２０は、対物レンズ１６０，１６１を保持する。レンズホルダ２２０には、対物レンズ１６０，１６１が、光ディスク１０のラジアル方向に並列される。
【００７１】
レンズホルダ２２０は、対物レンズ１６０を保持し、光ディスク１０と対向する第１の対向面と、対物レンズ１６１を保持し、光ディスク１０と対向する第２の対向面を有する。第１の対向面と第２の対向面は、第１の対向面と第２の対向面との境界線２２１Ａで突出するように互いに傾斜して構成される。すなわち、第２の対向面は、第１の対向面が光ディスクの記録面に対して平行状態にあるとき、光ディスク１０から離隔する方向に第１の対向面に対して傾斜して形成される。また、第１の対向面は、第２の対向面が前記光ディスクの記録面に対して平行状態にあるとき、光ディスク１０から離隔する方向に第２の対向面に対して傾斜して形成される。
【００７２】
また、第１の対向面には、プロテクタ２３０Ａ（第１のレンズ保護部材）が設けられ、第２の対向面には、プロテクタ２３０Ｂ（第２のレンズ保護部材）が設けられる。プロテクタ２３０Ａは、第１の対向面から光ディスク１０側に対物レンズ１６０より突出しており、プロテクタ２３０Ｂは、第２の対向面から光ディスク１０側に対物レンズ１６１より突出している。
【００７３】
このようにレンズホルダ２２０が形成されることで、対物レンズ１６０，１６１及びプロテクタ２３０Ａ，２３０Ｂは、光ディスク１０のラジアル方向と平行方向に対して傾斜して配置される。
【００７４】
対物レンズ１６１にレーザー光を透過させるとき、図６（Ａ）に示すように、通常時は、対物レンズ１６１が光ディスク１０に対して略平行になるように、レンズホルダ２２０は傾けて使用される。そして、対物レンズ１６１にレーザー光を透過させるとき、図６（Ｂ）に示すように、レンズホルダ２２０をチルト制御すると、対物レンズ１６１は光ディスク１０のラジアル方向に傾斜する。このとき、レンズホルダ２２０が傾斜したとしても、対物レンズ１６１と反対側に位置する対物レンズ１６０側のプロテクタ２３０Ａは、プロテクタ２３０Ｂの最高部の水平面Ｐより突出することはない。
【００７５】
一方、従来のレンズホルダ２０では、図９（Ｂ）に示すように、レンズホルダ２０が傾斜すると、レーザー光が透過する対物レンズ側のプロテクタ３０Ｂの最高部の水平面Ｐより、プロテクタ３０Ａの最高部の水平面Ｑが高くなる。その結果、従来のレンズホルダ２０では、チルト制御時、レンズホルダ２０と光ディスク１０とが衝突する可能性が高かった。
【００７６】
従って、図９に示すような、従来のレンズホルダ２０のプロテクタ３０Ａに比べて、プロテクタ２３０Ａは、光ディスク１０との衝突可能性が低減する。そして、プロテクタ２３０Ａの高さを従来に比べて低く抑えることができるため、レンズホルダ２２０全体の高さが低くなり、その結果、光ピックアップ１０２の高さも低減することができる。
【００７７】
なお、上記では、レーザー光が対物レンズ１６１を透過する場合について説明したが、レーザー光が対物レンズ１６０を透過する場合も同様である。その結果、プロテクタ２３０Ｂについても、従来のプロテクタ３０Ｂに比べて高さを低減することができる。
【００７８】
以上、本発明の第１及び第２の実施形態によれば、レンズホルダ１２０，２２０が複数のレンズを保持していたとしても、一方の対物レンズ１６０（又は１６１）を使用してレーザー光を照射しているとき、他の対物レンズ１６１（又は１６０）による光ディスクとの干渉がない。そのため、光ディスク１０と対物レンズ１６０，１６１との間の作動距離に制約されず、光ピックアップ１０２の薄型化を図ることができる。
【００７９】
更に、レンズホルダ１２０，２２０全体の体積及び重量を低減できるため、光ピックアップ１０２の感度、共振性能について特性の向上をさせることができる。また、レンズホルダ１２０，２２０の第１の対向面と第２の対向面が互いに傾斜した構成を有しているため、レンズホルダ１２０，２２０の形状が平板状ではなく、より球状に近い形状になる。その結果、従来のレンズホルダに比べて共振性能を向上させることができる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８１】
例えば、上記実施形態では、レンズホルダ１２０，２２０に対物レンズが２つ保持される場合について説明したが、本発明はかかる例に限定されない。例えば、レンズホルダは３つ以上の対物レンズを保持してもよい。
【図面の簡単な説明】
【００８２】
【図１】本発明の第１の実施形態に係る光ディスク装置の構成を示すブロック図である。
【図２】同実施形態に係る光ピックアップのレンズホルダ及びサスペンション固定部材を示す斜視図である。
【図３】同実施形態に係る光ピックアップを示す平面図である。
【図４】本発明の第２の実施形態に係る２軸アクチュエータを示す側面図である。
【図５】同実施形態に係る２軸アクチュエータを示す平面図である。
【図６】本発明の第１及び第２の実施形態に係る光ピックアップのレンズホルダを示す概略的な側面図である。
【図７】従来の光ピックアップ装置のアクチュエータを示す斜視図である。
【図８】光ディスクと従来の光ピックアップ装置のレンズホルダの位置関係を示す模式図である。
【図９】従来の光ピックアップ装置のレンズホルダを示す概略的な側面図である。
【符号の説明】
【００８３】
１０        光ディスク
１００      光ディスク装置
１０２      光ピックアップ
１０４      スピンドルモータ
１０６      送りモータ
１０８      駆動制御部
１１０      信号処理部
１１２      信号変復調部
１１４      システムコントローラ
１１６      操作部
１２０，２２０      レンズホルダ
１２１      レンズ保持部
１２１Ａ，２２１Ａ      境界線
１２２      駆動受け部
１２３，１２６，２２５，２２６      駆動コイル
１２７，２２７      連結部
１３０Ａ，１３０Ｂ，２３０Ａ，２３０Ｂ      プロテクタ
１３２，２３２      マグネット
１４０，２４０      サスペンション固定部材
１４２，２４２      サスペンション
１５０，１５１      レーザーダイオード
１５２      プリズム
１５３      復路光学素子
１５４      フォトダイオード
１５５      コリメータレンズ
１６０，１６１      対物レンズ
【図１】
2010020836.tif 000003
【図２】
2010020836.tif 000004
【図３】
2010020836.tif 000005
【図４】
2010020836.tif 000006
【図５】
2010020836.tif 000007
【図６】
2010020836.tif 000008
【図７】
2010020836.tif 000009
【図８】
2010020836.tif 000010
【図９】
2010020836.tif 000011